(57)【要約】【課題】給湯システムを構成する装置または機器の制御装置の保守点検を容易かつ確実に行うことのできる給湯システムを提供する。【解決手段】給湯システムは給湯装置１とこれに通信可能に接続される台所リモコン２で構成されている。給湯装置１は製品の製造番号、マイコン基板名称、マイコン捺印名称などの製品特定情報をＥＥＰＲＯＭ１０４に記憶している。台所リモコン２も当該リモコンの製品特定情報をＥＥＰＲＯＭ２０６に記憶している。給湯装置１は通電開始からの時間を積算して使用時間を記録する。給湯装置１は台所リモコン２が接続されると、通信により当該台所リモコン２の製品特定情報を取得するとともに、使用時間におけるその接続時期を算出し、これらの情報を識別コードと共にＥＥＰＲＯＭ１０４に記憶する。給湯システムを構成する給湯装置１，台所リモコン２のバージョンも含む製品特定情報を記憶させることにより、これらのマイコンの保守点検を容易かつ確実に行うことができるようにした。【選択図】  図１
2004183938.tif 000002
【特許請求の範囲】
【請求項１】
製品を特定するための製品特定情報が記憶された第１の記憶手段を備えた給湯装置とこの給湯装置に通信可能に接続され、製品を特定するための製品特定情報が記憶された第２の記憶手段を備えた少なくとも１のオプション機器とからなり、前記給湯装置と前記オプション機器との間でデータを交信して所定の機能を果たす給湯システムであって、
前記給湯装置に設けられ、前記オプション機器が接続されると、所定のタイミングで当該オプション機器と通信を行って前記第２の記憶手段に記憶された前記オプション機器の製品特定情報を取得する情報取得手段と、
前記給湯装置に設けられ、前記オプション機器が接続されると、当該給湯装置の使用開始を基準とした当該オプション機器の給湯装置への接続時期を特定する接続時期特定手段と、
前記給湯装置に設けられ、前記情報取得手段で取得された製品特定情報と前記接続時期特定手段で特定された接続時期の情報とを前記第１の記憶手段に記憶する記憶制御手段と、
を備えたことを特徴とする給湯システム。
【請求項２】
前記製品特定情報は、少なくとも当該製品に固有の情報と当該製品を統括制御する制御手段のバージョン情報とを含むことを特徴とする請求項１記載の給湯システム。
【請求項３】
前記製品に固有の情報にはＩＤコード、製造年月及び製品番号の少なくとも１つを含み、前記バージョン情報には制御基板を備えたユニットの当該制御基板のバージョン情報を識別可能な名称及びマイコン捺印名称の少なくとも１つを含むことを特徴とする請求項２記載の給湯システム。
【請求項４】
前記オプション機器には前記給湯装置を遠隔操作する遠隔操作装置を含むことを特徴とする請求項１乃至３のいずれかに記載の給湯装置。
【請求項５】
前記接続時期特定手段は、前記給湯装置の使用開始からの通電時間を積算する積算手段を備え、前記オプション機器が接続された時の前記積算手段で積算された通電時間に基づいて接続時期を特定するものであることを特徴とする請求項１記載の給湯システム。
【請求項６】
前記第１，第２の記憶手段は、不揮発性メモリであることを特徴とする請求項１記載の給湯システム。
【請求項７】
請求項１乃至６のいずれかに記載の給湯システムにおいて、前記給湯装置に、所定のタイミングで前記オプション機器と通信を行って前記第１の記憶手段に記憶された情報を当該オプション機器の第２の記憶手段に転送する転送手段を更に設けたことを特徴とする給湯システム。
【請求項８】
前記所定のタイミングは、前記給湯装置の電源がオフにされるタイミングであることを特徴とする請求項７記載の給湯システム。
【発明の詳細な説明】
【０００１】
【発明の属する技術分野】
本発明は、給湯装置とこの給湯装置に通信可能に接続されるリモートコントローラや床暖房装置などのオプション機器とからなり、給湯装置とオプション機器との間でデータを交信して所定の機能を果たす給湯システムに関するものである。
【０００２】
【従来の技術】
給湯装置は、たとえば、熱交換器を通る水を燃焼器の熱で加熱して温水を供給する設備であるが、近年は給湯装置に、例えばリモートコントローラ、即出湯装置、太陽熱利用装置、床暖房パネル、温水ヒータなど、給湯装置と接続されて所定の機能を果たす種々のオプション機器を組み合わせて温水を利用した種々の給湯システムが商品化されている。このような給湯システムは、多種多様に供給される給湯装置およびオプション機器の中からユーザが所望の装置、機器を組み合わせて構築されるため、システム構築の容易性、拡張性などの観点から、一般に給湯装置とオプション機器とを通信可能に接続し、給湯装置内の制御装置（マイクロコンピュータ）とオプション機器内の制御装置（マイクロコンピュータ）とで所要のデータを交信してソフト的にシステムを構築するように構成されている。
【０００３】
そして、給湯システムはシステムの一部の装置もしくは機器を交換したり、装置及び機器の内部部品（例えばセンサなどの回路部品や回路部品が搭載された基板など）を交換したりして長期間使用されるため、従来、メンテナンスや故障修理の際に効率よく確実に保守点検作業が行えるように、給湯システムの使用履歴や修理経歴などを記録する技術が提案されている。
【０００４】
例えば特開平１０−２１３３４８号公報には、給湯装置の主要構成部の使用開始時からの使用時間、使用回数等の使用履歴に関する累積データを記憶するとともに、メンテナンスで給湯用ファンモータなどの部品を交換した場合、その交換部品の使用開始からの累積データ（使用時間）をメンテナンス作業者の入力操作により記録しておき、メンテナンスや修理時にそれらの累積データを表示可能にした加熱装置が提案されている。
【０００５】
また、特開平８−３２７０６１号公報には、ガスメータ、ガス機器及びリモコンからなるデータ保持システムにおいて、ガスメータ、ガス機器およびリモコンにそれぞれＥＥＰＲＯＭ（Ｅｌｅｃｔｒｉｃａｌｌｙ−Ｅｒａｓｅｒｂｌｅ  ａｎｄ  Ｐｒｏｇｒａｍａｂｌｅ  ＲＯＭ）を設け、このＥＥＰＲＯＭに各機器の固有の情報（例えばガスメータでは積算ガス流量等、ガス機器では設置環境に応じた制御データ等、リモコンでは自己のアドレス情報等）を記憶させ、一定の間隔で相互に通信を行って相手機器の固有の情報を交信し、互いに固有の情報を持ち合う（バックアップする）データ保持システムが提案されている。
【０００６】
【特許文献１】
特開平１０−２１３３４８号公報
【特許文献２】
特開平８−３２７０６１号公報
【０００７】
【発明が解決しようとする課題】
ところで、給湯システム用の給湯装置やオプション機器は、通信により相互にデータを交信してソフト的にシステムを構築する構成要素として製作されるため、同一機種の製品であっても制御装置（マイクロコンピュータ）のハードもしくはソフトの改良によりバージョンが異なる場合がある。このため、同一機種で構成された給湯システムであってもソフト的に見ると、制御装置のバージョンの相違などから異なるシステムとなることがある。また、保守点検により制御装置を異なるバージョンの制御装置に交換することによりソフト的に異なる給湯システムになることがある。
【０００８】
メンテナンスや故障修理などで、例えば燃焼器などの機械部品を交換する場合はその燃焼器の製造番号などの固有情報をもとに故障履歴などを管理すれば足りるが、制御上の不具合が原因で制御装置や制御装置が搭載された基板などの部品を交換する場合は当該部品の製造番号などの固有情報で故障履歴を管理すると、バージョンの異なる部品交換がされた場合はその情報は反映されず、故障履歴を有効に活用できないことがある。
【０００９】
例えば故障対策として制御装置の搭載された基板（以下、マイコン基板という。）を交換する場合、異なるバージョンのマイコン基板に交換することにより故障が解消したとき、故障原因がバージョンアップの内容にあったと考えられるが、固有情報だけではマイコン基板のバージョンの相違は分からないから、故障原因を推定することができない。また、短い期間に同一バージョンのマイコン基板を交換したが、故障が解消しない場合、マイコン基板以外に故障原因があると推定できるが、マイコン基板のバージョン情報や使用期間の情報がないため、再度マイコン基板を交換して故障解消の可否を判断するという有効でない作業を繰り返す結果となる。
【００１０】
なお、特開平１０−２１３３４８号公報に記載の給湯装置の使用履歴や修理経歴の記録技術は、部品をコードにより分類し（構成要素に分類し）、分類された部品毎に当該部品の使用時間を記録しておくもので、給湯装置の構成要素についての故障履歴が分かるのみで、各構成要素に使用されている部品固有の故障履歴（故障原因や使用時間）までは分からない。また、部品の固有情報が同一であってもバージョンの異なるマイコン基板のような部品については言及がないから、上記課題及びその課題を解決し得る技術を示唆するものではない。
【００１１】
また、特開平８−３２７０６１号公報に記載の技術も、システムを構成する機器または装置の間で互いに機器または装置の固有の情報をバックアップするという技術で、機器または装置の固有の情報にはバージョン情報が含まれていないから、上記課題及びその課題を解決し得る技術を示唆するものではない。
【００１２】
本発明は、上記の点に鑑みて提案されたものであって、給湯システムを構成する装置または機器の制御装置の保守点検を容易かつ確実に行うことのできる給湯システムを提供するものである。
【００１３】
【課題を解決するための手段】
本発明は、製品を特定するための製品特定情報が記憶された第１の記憶手段を備えた給湯装置とこの給湯装置に通信可能に接続され、製品を特定するための製品特定情報が記憶された第２の記憶手段を備えた少なくとも１のオプション機器とからなり、前記給湯装置と前記オプション機器との間でデータを交信して所定の機能を果たす給湯システムであって、前記給湯装置に設けられ、前記オプション機器が接続されると、所定のタイミングで当該オプション機器と通信を行って前記第２の記憶手段に記憶された前記オプション機器の製品特定情報を取得する情報取得手段と、前記給湯装置に設けられ、前記オプション機器が接続されると、当該給湯装置の使用開始を基準とした当該オプション機器の給湯装置への接続時期を特定する接続時期特定手段と、前記給湯装置に設けられ、前記情報取得手段で取得された製品特定情報と前記接続時期特定手段で特定された接続時期の情報とを前記第１の記憶手段に記憶する記憶制御手段とを備えたものである（請求項１）。
【００１４】
なお、前記製品特定情報は、少なくとも当該製品に固有の情報と当該製品を統括制御する制御手段のバージョン情報とを含み（請求項２）、前記製品に固有の情報にはＩＤコード、製造年月及び製品番号の少なくとも１つを含み、前記バージョン情報には制御基板を備えたユニットの当該制御基板のバージョン情報を識別可能な名称及びマイコン捺印名称の少なくとも１つを含むものである（請求項３）。また、前記オプション機器には前記給湯装置を遠隔操作する遠隔操作装置を含むものである（請求項４）。
【００１５】
また、前記接続時期特定手段は、前記給湯装置の使用開始からの通電時間を積算する積算手段を備え、前記オプション機器が接続された時の前記積算手段で積算された通電時間に基づいて接続時期を特定する構成にするとよい（請求項５）。また、前記第１，第２の記憶手段は、不揮発性メモリで構成するとよい（請求項６）。
【００１６】
また、本発明は、請求項１〜６のいずれかに記載の給湯システムにおいて、前記給湯装置に、所定のタイミングで前記オプション機器と通信を行って前記第１の記憶手段に記憶された情報を当該オプション機器の第２の記憶手段に転送する転送手段を更に設けたものである（請求項７）。なお、前記所定のタイミングは、前記給湯装置の電源がオフにされるタイミングにするとよい（請求項８）。
【００１７】
本発明によれば、給湯装置に遠隔操作装置などのオプション機器が接続され、給湯システムが構成されると、給湯装置は所定のタイミングでオプション機器と通信を行って当該オプション機器の第２の記憶手段に記憶されている当該オプション機器の製品を特定するための製品特定情報（例えばＩＤコード、製造年月及び製品番号などの製品固有情報と制御基板を備えたユニットの当該制御基板のバージョン情報を識別可能な名称及びマイコン捺印名称（マイコンのソフトウェアバージョン情報を識別可能な名称）などのバージョン情報）を取得する。また、給湯装置は当該給湯装置の使用開始を基準としたオプション機器が接続された時期を特定する。例えば給湯装置は当該給湯装置の使用開始からの通電時間を積算し、その積算時間においてオプション機器の接続時期を特定する。最初に給湯装置とオプション機器とが同時に接続された場合は、オプション機器の接続時期は積算時間ゼロの時点となり、給湯装置がＮ時間通電されたときにオプション機器が増設されたときは、当該オプション機器の接続時期は積算時間Ｎの時点となる。そして、給湯装置はオプション機器の製品特定情報と接続時期の情報とを第１の記憶手段に記憶する。
【００１８】
オプション機器の製品特定情報と接続時期の情報とを給湯装置に集中して記憶しているので、メンテンナンスや故障修理の際にオプション機器の製品特定情報や使用時間などの情報をオプション機器の設置位置まで行くことなく、給湯装置から簡単に取得することができる。また、原因不明の故障でオプション機器の制御装置を交換した場合にもバージョン情報によって制御装置を特定できるため、故障原因が制御装置にあるか否かを容易に推定することができる。また、制御装置に不具合がある場合は、メンテナンス時にバージョン情報を確認することにより制御装置の交換の要否を迅速に判断することができる。
【００１９】
また、本発明によれば、例えば給湯装置の電源がオフにされるとき、オプション機器と通信を行って第１の記憶手段に記憶された情報を当該オプション機器の第２の記憶手段に転送する。すなわち、給湯装置の第１の記憶手段に記憶された情報のバックアップ情報が第２の記憶手段に記憶される。従って、故障により給湯装置の電源がオフになり、給湯装置が交換された場合、新しい給湯装置が、所定のタイミングでオプション機器と通信を行って当該オプション機器の第２の記憶手段に記憶されているバックアップ情報を当該給湯装置の第１の記憶手段に記憶するので、交換された給湯装置の第１の記憶手段に記憶されたシステムの情報を簡単に新しい給湯装置の第１の記憶手段に復旧させることができる。
【００２０】
【発明の実施の形態】
本発明に係る給湯ステムについて、給湯装置と風呂リモコンとからなる給湯システムを例に説明する。
【００２１】
なお、本発明は、図１に示すように、マイクロコンピュータ（以下、マイコンという。）からなる制御装置を備え、このマイコンｍ１により動作が制御される給湯装置Ａに、マイコンｍ２を備え、このマイコンｍ２により動作が制御される１または２以上のオプション機器Ｂ１〜Ｂ４が通信可能に接続され、給湯装置Ａのマイコンｍ１とオプション機器Ｂ１〜Ｂ４のマイコンｍ２とが互いにデータを交信して両装置・機器により所定の機能を果たす給湯システムに適用されるもので、給湯装置と風呂リモコンからなる給湯システムに限定されるものではない。
【００２２】
なお、給湯装置が一般給湯機能と風呂機能とを備える場合、台所リモコンと風呂リモコンとは給湯装置に必須の構成となるが、本実施形態に係るオプション機器には、給湯機器に対して必須ではない付加機能を追加するためのオプション機器だけでなく、上記の風呂リモコンや台所リモコンなどの給湯装置に対して必須の構成となるものも含むものである。
【００２３】
また、給湯装置Ａは、一般給湯機能のほかに風呂浴槽への湯張り機能、追い焚き機能、及び温水暖房機能の少なくとも１つを併設したものであってもよい。また、給湯装置Ａが温水を生成するための熱源として燃焼器を備える場合、その燃焼器における燃料はガスであってもよく、石油であってもよい。また、給湯装置Ａの熱源は燃焼器であってもよく、電気ヒータやＣＯ２ヒートポンプなどのその他、種々のタイプの熱源であっても良い。
【００２４】
給湯装置Ａには、例えば出湯配管で冷めた温水を再加熱して給湯栓への即出湯を実現する即出湯装置、太陽熱を利用して給湯装置と連携しながら給湯を行う太陽熱利用装置、床暖房システムを構築する床暖房パネル、室内暖房システムを構築する温水ヒータ、浴室乾燥システムを構築する温水乾燥機、インターホン機能を拡張するインターホン付きリモコン、テレビ／ラジオの聴視機能を拡張するテレビ／ラジオ受信機付きリモコンなど種々のオプション機器Ｂを接続することができる。
【００２５】
図２は、本発明に係る給湯システムの一実施形態である給湯装置と風呂リモコンとからなる給湯システムのブロック構成図である。
【００２６】
給湯装置１は、給水経路に配設された燃焼器とこの燃焼器の燃焼を制御する制御装置とを備え、燃焼器で発生した熱を給水管に流れる水に伝達して所定の温度の湯にして台所、風呂などの給湯箇所に供給するものである。給湯装置１は、例えば家屋の浴室の屋外に配設される。
【００２７】
風呂リモコン２は、浴室の内壁に設けられ、浴室から給湯装置１の給湯動作を遠隔操作するものである。給湯装置１と風呂リモコン２は、２芯線からなる通信線３で接続され、この通信線３を介して給湯装置１から風呂リモコン２に駆動電源（直流電源）が供給されるとともに、給湯装置１と風呂リモコン２との間で所要のデータが交信されるようになっている。データ通信は、たとえばＡＳＫ（Ａｍｐｌｉｔｕｄｅ  Ｓｈｉｆｔ  Ｋｅｙｉｎｇ）方式により所定の搬送波をＡＭ変調したＡＭ変調波（デジタルデータの０，１を所定の搬送波の有、無に置き換えたＡＭ変調波）を、通信線上に供給される直流電源に重畳することにより行われる。
【００２８】
給湯装置１は制御部１０１、通信部１０２、記憶部１０３、ＥＥＰＲＯＭ１０４、電源部１０５を備えている。また、給湯装置１には、給湯動作を制御するために必要なデータを取得するための水量センサ１０６、出湯温度センサ１０７、水位センサ１０８及びフレームロッド１０９などのセンサが設けられ、燃焼器の燃焼動作を制御するための電磁弁１１０、ガス比例弁１１１、送風ファン１１２及びスパーカー１１３などのアクチュエータが設けられている。
【００２９】
制御部１０１は、給湯装置全体の動作（リモコンおよび他のオプション機器との間のデータ通信や給湯動作）を集中制御するもので、主としてＲＯＭとＲＡＭを内蔵した１チップのマイクロコンピュータの中央演算装置で構成されている。制御部１０１は、記憶部１０３のＲＯＭに記憶されている制御プログラムを実行することにより給湯装置全体の動作を制御する。また、制御部１０１は、給湯装置１がユーザの家屋に設置され、電源部１０５から通電が開始されてからの通電時間を積算する通電時間積算部１０１ａを備えている。通電時間積算部１０１ａは主電源のオン／オフが繰り返される毎にそのオンからオフまでの通電時間を積算し、その積算値を前回の通電時間の積算値に加算することにより通電開始からの通電時間を積算する。この通電時間はＥＥＰＲＯＭ１０４に記憶される。
【００３０】
なお、通電時間の積算方法として、通電中において所定の時間間隔で積算時間をＥＥＰＲＯＭ１０４に更新的に記録するようにしてもよい。この方法では電源は遮断検知回路が不要になる利点がある。
【００３１】
通信部１０２は、風呂リモコン２とのデータ通信を制御するものである。通信部１０２は、所定の搬送波を発生する搬送波発生回路、制御部１０１から入力されるデータで搬送波をＡＳＫ方式によりＡＭ変調する変調回路、ＡＭ変調波を電源部１０５から入力される直流電源に重畳し、通信線３を介して風呂リモコン２に出力する出力回路、通信線３を介して風呂リモコン２から送信されたＡＭ変調波からデータを復調する復調回路などを有している。
【００３２】
記憶部１０３は、制御部１０１の制御動作に必要なデータを記憶するものである。記憶部１０３は１チップマイクロコンピュータのＲＡＭおよびＲＯＭからなり、ＲＯＭには制御部１０１の制御プログラムやこの制御プログラムを実行するために必要なディフォルトデータなどが記憶されている。また、ＲＡＭは制御部１０１が制御プログラムを実行するためのワークエリアを提供するもので、ＲＯＭから読み出された制御プログラムやこの制御プログラムの実行により生成される種々のデータを一時的に保存する。
【００３３】
ＥＥＰＲＯＭ１０４は、給湯装置１の製品を特定するための情報や製品の使用時間（通電時間）、修理履歴などの情報を記憶する不揮発性メモリである。より具体的には、ＥＥＰＲＯＭ１０４に、給湯装置１の製品および当該給湯装置１に搭載されているマイクロコンピュータを特定するための情報（以下、製品特定情報という。）と、通電時間積算部１０１ａにより積算される給湯装置１の通電時間（実際に使用されている時間）やマイクロコンピュータもしくはマイクロコンピュータが搭載された基板（以下、マイコン基板という。）の交換などの修理履歴の情報が記憶される。
【００３４】
なお、本実施形態では、給湯システム内の各接続機器における部品（負荷）の修理や交換が行われたときにはメンテナンス作業者によってリモコンの操作部などからその修理や交換した部品のコードナンバーが手入力され、給湯システム内の各接続機器のマイコン基板が交換されるときには、通信により自動的に旧マイコン基板のＥＥＰＲＯＭ１０４に記憶された修理履歴情報が新マイコン基板のＥＥＰＲＯＭ１０４に転送されて記憶されるので、ここにいう修理履歴情報は、このような修理作業時にメンテナンス作業者により手入力される修理情報やマイコン基板の交換時に引き継がれる修理情報が含まれる。
【００３５】
製品特定情報には、給湯装置１の製品固有の情報と当該製品を統括制御するマイコンのバージョン情報とが含まれる。製品固有の情報は、例えば給湯装置１のＩＤコード（製品の製造番号など）、製造年月である。また、バージョン情報は給湯装置１に搭載されている制御基板（マイコン基板）を備えたユニットの名称（以下、リレーケースセット名称という。）、マイコン捺印名称（マイコン基板に搭載されているマイコンのソフトウェアバージョンまで特定することのできる情報）である。この製品特定情報により給湯装置１が何時製造されたどの機種であるか、また、どのバージョンの制御ソフトにより動作する機種であるかを特定することができるようになっている。従って、マイコン基板を異なるバージョンのマイコン基板に交換する修理を行った場合でもその修理内容の履歴を知ることができるようになっている。
【００３６】
また、後述するように風呂リモコン２においても、当該風呂リモコン２の製品特定情報と使用時間や修理履歴などの情報が記憶されているので、給湯装置１に風呂リモコン２が接続され、給湯システムが構築されると、給湯装置１は、風呂リモコン２との通信によって当該風呂リモコン２の製品特定情報を取得し、ＥＥＰＲＯＭ１０４に記憶する。また、給湯装置１は、風呂リモコン２が接続された時期を当該給湯装置１の通電時間に基づいて特定し、その接続時期の情報と風呂リモコン２の使用時間の情報もＥＥＰＲＯＭ１０４に記憶する。更に、風呂リモコン２が修理されると、その修理履歴の情報もＥＥＰＲＯＭ１０４に記憶する。
【００３７】
なお、風呂リモコン２が交換された場合は、新しい風呂リモコン２が給湯装置１に接続され、新風呂リモコン２からＥＥＰＲＯＭ２０６に記憶された情報が給湯装置１に転送されてＥＥＰＲＯＭ１０４に記憶されるので、その転送時点を修理された時点の修理履歴情報としてもよい。
【００３８】
なお、接続時期は、例えば給湯装置１と風呂リモコン２とが同時に設置される場合は給湯装置１の通電時間は０時間であるから、通電時間０が接続時期の情報となり、その後、例えば給湯装置１の通電時間が５００時間のときに風呂リモコン２が交換されると、使用時間５００が風呂リモコン２の接続時期の情報となる。
【００３９】
上記のように本実施形態に係る給湯システムは、給湯システムを構成する給湯装置本体やオプション機器の製品特定情報、使用時間や修理履歴の情報を給湯装置１のＥＥＰＲＯＭ１０４に一括記憶するので、給湯装置本体や種々のオプション機器に、例えば図３に示すような識別コードを付し、給湯装置１のＥＥＰＲＯＭ１０４には、図４に示すように識別コード毎に製品特定情報（ＩＤコード、製造年月、リレーケースセット名称、マイコン捺印名称など）、使用時間や修理履歴の情報を記憶するようにしている。
【００４０】
なお、図３において、「○○インターホン」は、インターホン機能を備えた○○に設置されるリモコンである。また、「○○心拍リモコン」は、入浴中に入浴者の心拍を計測して表示する機能を有する○○リモコンである。また、「○○ＴＶリモコン」は、ＴＶ受信機能を備えた○○に設置されるリモコンである。図３には示していないが、即出湯装置、太陽熱利用装置、床暖房パネル、温水ヒータ、浴室乾燥機などの他のオプション機器にも識別コードが付されている。
【００４１】
また、図４において、（ａ）は給湯装置１の製品出荷時のＥＥＰＲＯＭ１０４の記憶情報を示し、（ｂ）は給湯装置１に風呂リモコン２が接続され、給湯システムが構成された後のＥＥＰＲＯＭ１０４の記憶情報を示している。
【００４２】
ＥＥＰＲＯＭ１０４の記憶領域は複数の領域Ａ１，Ａ２，…に分割され、先頭領域Ａ１には給湯装置１の識別コード「００」とともにＩＤコード（製造番号等）、製造年月、リレーケースセット名称及びマイコン捺印名称からなる製品特定情報が記憶されている。給湯システムが構成されると、第２の記憶領域Ａ２に風呂リモコン２のＩＤコード（製造番号等）、製造年月、リレーケースセット名称及びマイコン捺印名称からなる製品特定情報が識別コード「１１」とともに記憶される。各記憶領域には製品特定情報の記憶領域の下部に記憶領域Ｂ１，Ｂ２が設けられ、これら記憶領域Ｂ１，Ｂ２に使用時間、故障履歴などの情報が記憶される。また、新たにオプション機器が追加接続されると、そのオプション機器の製品特定情報などは第２の記憶領域以降に当該第２の記憶領域Ａ２と同様の方法で順次記憶される。
【００４３】
このように製品特定情報や使用時間、修理履歴の情報を給湯システム内のメモリに記憶するのは、給湯システムのメンテンスや修理などの際に効率よくかつ確実に故障診断と故障修理が行えるようにするためである。すなわち、記憶内容を確認することにより、▲１▼給湯装置１を含めオプション機器が交換されたか否かの判別、▲２▼オプション機器が交換された場合、その交換時期の特定、▲３▼給湯装置１及びオプション機器の交換履歴の確認、▲４▼給湯システム全体での各制御ユニットのバージョン、各マイコンソフトウェアバージョンの接続履歴（各時点での組み合わせ履歴）の確認、▲５▼給湯システム全体における各制御ユニットが交換された場合、その交換時期の特定、▲６▼新たに増設されたオプション機器の接続時期の特定、などが可能になり、これによりソフトウェアによる制御不具合が原因と考えられる故障に対して適切なバージョンのマイコン基板を容易に判別することができるからである。
【００４４】
例えば、オプション機器を給湯システム内に新設した後に不具合が発生した場合、不具合の原因が新設したオプション機器にあると容易に推定することができる。また、交換履歴を確認することにより、故障発生以降に同一バージョンのマイコン基板あるいは異なるバージョンのマイコン基板に交換されていたにもかかわらず、故障が解消されていない場合は、その故障原因がマイコン基板以外の部品にあると推定でき、適切な故障診断が可能となる。なお、交換履歴や修理履歴などの情報は、リモコン装置２の表示部２０４に表示させることによりサービスマンが確認できるようになっている。
【００４５】
また、給湯装置１のＥＥＰＲＯＭ１０４に給湯システムを構成する要素の全ての製品特定情報や使用時間、修理履歴の情報を一括して記憶させるのは、給湯装置１のマイコン基板を交換する修理を行った場合、給湯システム全体の製品特定情報や修理履歴などの情報を一括して交換後のマイコン基板に移植することよりこれらの情報の管理を容易にするためである。
【００４６】
また、給湯システムではオプション機器が給湯装置に対して離れた場所（屋内と屋外、屋内でも複数の部屋に分散した場所）に配設されることが多いが、このような給湯システムのメンテナンス作業は給湯装置１の場所で行われることが多く、通常、サービスマンはメンテナンス用のパソコン、リモコンもしくは専用の故障診断装置などを給湯装置１に通信接続して当該給湯装置１のＥＥＰＲＯＭ１０４に記憶された製品特定情報や修理履歴などの情報を読み出し、表示部に表示させて内容を確認するため、給湯システム全体の製品特定情報や修理履歴などの情報を一元管理することより、メンテナンス時におけるサービスマンのこれらの情報を収集するための労力を軽減できるという効果があるからである。
【００４７】
電源部１０５は、例えばスイッチング電源からなり、例えば１００Ｖの交流電源から給湯装置１内の各回路や風呂リモコン２内の各回路の駆動電源（直流電圧電源）を生成するものである。
【００４８】
水量センサ１０６は熱交換器に流入する水量を検出するセンサである。出湯温度センサ１０７は熱交換器から流出する湯の温度を検出するセンサである。水位センサ１０８は浴槽の水位を検出するセンサである。なお、本実施形態では給湯装置１が風呂機能を備えているため、水位センサ１０８は浴槽の水位を検出するものとしているが、例えば給湯装置１が温水暖房機能を備えている場合は、水位センサ１０８は暖房温水タンク内の水位を検出するセンサとなる。フレームロッド１０９は、ガスバーナの着火や失火を検出するものである。これらのセンサから出力される検出信号は制御部１０１に入力される。
【００４９】
電磁弁１１０及びガス比例弁１１１は熱交換器へ伝達する熱を生成する燃焼器に供給するガス量を制御する弁である。送風ファン１１２は燃焼器に供給する空気の量を制御する送風機である。スパーカー１１３は燃焼器のガスバーナの点火を行うものである。電磁弁１１０〜スパーカー１１３の動作は制御部１０１により制御される。
【００５０】
給湯装置１における給湯動作を簡単に説明すると、使用者により給湯栓（図略）が開栓されると、水量センサ１０６により給水量が検出され、この検出信号により制御部１０１は給湯栓が開栓されたことを認識し、所定流量以上を検出したときに燃焼器の燃焼動作を開始する。すなわち、制御部１０１は電磁弁１１０を開くとともにガス比例弁１１１を所定の開度に設定してガスを燃焼器のバーナーに供給する一方、送風ファン１１２を駆動して燃焼室に空気を供給し、スパーカー１１３によりバーナーを点火して燃焼を開始する。
【００５１】
熱交換器に流入した水は燃焼器の燃焼により加熱されて湯にされて給湯栓に流出する。熱交換器から流出する湯の温度は出湯温度センサ１０７により検出され、その検出信号は制御部１０１に入力される。制御部１０１は使用者により設定された給湯温度と出湯温度センサ１０７とに基づいて燃焼器の燃焼を制御し、給湯栓から出湯される温度を設定温度に保持する。
【００５２】
次に、風呂リモコン２は制御部２０１、通信部２０２、操作部２０３、表示部２０４、記憶部２０５、ＥＥＰＲＯＭ２０６を備えている。制御部２０１はリモコン全体の動作（給湯装置間のデータ通信や表示動作等）を集中制御するもので、主としてマイクロコンピュータで構成されている。制御部２０１は、記憶部２０５のＲＯＭに記憶されている制御プログラムを実行することによりリモコン全体の動作を制御する。
【００５３】
操作部２０３は、主に給湯装置１に対する遠隔操作の操作情報を入力するものである。操作部２０３は、例えば運転オン／オフ、給湯温度、風呂湯温及び風呂の水位の設定、風呂の自動運転モード設定などの操作ボタンとこの操作ボタンの操作を電気信号に変換して制御部２０１に入力するスイッチを主要構成とする。操作ボタンは、風呂リモコン２の操作パネルに設けられている。
【００５４】
表示部２０４は、操作部２０３の操作内容、給湯装置１の動作状態などの情報を表示するものである。表示部２０４は、例えば液晶ディスプレイあるいは蛍光表示管などで構成され、操作ボタンと同様に風呂リモコン２の操作パネルに設けられている。
【００５５】
図５は、風呂リモコン２の操作パネルの一例を示す図である。操作パネル４は横長長方形状を成し、右端部に運転オン／オフの操作ボタン４０１が設けられ、中央部に給湯温度と風呂温度とを示す液晶ディスプレイ４０２が設けられている。また、液晶ディスプレイ４０２の右側に給湯温度や風呂温度などを設定するための操作ボタン４０３ａ，４０３ｂが設けられ、液晶ディスプレイ４０２の下部に風呂の自動運転モード（風呂の温度と水位を設定された温度と水位に自動調整するモード）を設定するための操作ボタン４０４と追いだきを指示するための操作ボタン４０５が設けられている。
【００５６】
操作ボタン４０３ａは給湯温度、風呂温度の設定値などを上昇させるための操作ボタンで、例えば給湯温度設定の場合、操作ボタン４０３ａを押す毎に給湯温度の設定値が１度ずつ上昇する。一方、操作ボタン４０３ｂは給湯温度、風呂温度の設定値などを下降させるための操作ボタンで、例えば給湯温度設定の場合、操作ボタン４０３ｂを押す毎に給湯温度の設定値が１度ずつ下降する。なお、操作ボタン４０３ａ，４０３ｂを所定時間以上押し続けた状態にすると、その間、給湯温度の設定値が所定の設定温度範囲において所定のピッチで連続的に１度ずつ上昇もしくは下降させることができる。
【００５７】
運転ボタン４０１は、押し下げる毎に運転オンと運転オフとが交互に切り替わる操作ボタンである。運転ボタン４０１によるオン／オフ状態は液晶ディスプレイ４０２の点灯、消灯により判別できるようになっている。すなわち、運転オンの状態になると液晶ディスプレイ４０２に給湯温度および風呂温度が表示され、運転オフの状態になるとその表示が非表示となる。また、風呂自動ボタン４０４は、押し下げる毎に自動運転モードのオンとオフとが交互に切り替わる操作ボタンである。風呂自動ボタン４０４がオンになると、その上部のＬＥＤ４０４ａが点灯してオン状態が分かるようになっている。また、追いだきボタン４０５がオンになると、その上部のＬＥＤ４０５ａが点灯してオン状態が分かるようになっている。
【００５８】
図２に戻り、記憶部２０５は、制御部２０１の制御動作に必要なデータを記憶するものである。記憶部２０５はＲＡＭおよびＲＯＭからなり、ＲＯＭには制御部２０５の制御プログラムやこの制御プログラムを実行するために必要なディフォルトデータなどが記憶されている。また、ＲＡＭは制御部２０１が制御プログラムを実行するためのワークエリアを提供するもので、ＲＯＭから読み出された制御プログラムやこの制御プログラムの実行により生成される種々のデータ（設定された給湯温度など）を一時的に保存する。
【００５９】
通信部２０２は、給湯装置１とのデータ通信を制御するものである。通信部２０２は、所定の搬送波を発生する搬送波発生回路、制御部２０２から入力されるデジタルデータで搬送波をＡＳＫ方式によりＡＭ変調する変調回路、通信線３を介してＡＭ変調波を給湯装置１に出力する出力回路、通信線３を介して給湯装置１から送信されたＡＭ変調波と駆動電源を分離する電源分離回路、ＡＭ変調波からデータを復調する復調回路などを有している。
【００６０】
ＥＥＰＲＯＭ２０６は、風呂リモコン２の製品特定情報（ＩＤコード、製造年月、リレーケースセット名称、マイコン捺印名称）を記憶する不揮発性メモリである。なお、給湯装置１の主電源がオフにされるときは、給湯装置１のマイコン基板を交換するために電源オフになる場合もあるため、ＥＥＰＲＯＭ１０４のデータが給湯システム内から消失しないように、当該データは通信により風呂リモコン２に転送され、ＥＥＰＲＯＭ２０６に一時退避保存される。このときのＥＥＰＲＯＭ２０６におけるデータの記憶内容は図４（ｂ）に示した記憶内容と同一である。
【００６１】
次に、給湯装置１における給湯システムの製品特定情報等の情報管理について図６〜図８を用いて説明する。
【００６２】
図６，図７は給湯装置１の給湯システムの製品特定情報等の情報管理の処理手順を示すフローチャートである。同フローチャートは給湯装置１が設置され、電源がオンになり、通電が開始されてから電源がオフにされ、通電が停止されるまでの処理手順を示している。また、図８は、給湯装置１及び風呂リモコン２のマイコン基板（コントローラ）がそれぞれ交換されるタイミングの一例を示す図である。
【００６３】
給湯装置１が設置され、電源がオンになると（図８のタイミングＡ参照）、通電時間の計時が開始される（Ｓ１）。続いて、オプション機器の接続状態が確認される（Ｓ２）。この確認は各接続端子にデータ通信を行い、応答信号の有無を確認することにより行われる。本実施形態では風呂リモコン２のみが接続されるので、風呂リモコン２からの応答信号により風呂リモコン２の接続が確認される。
【００６４】
続いて、給湯装置１から接続が確認されたオプション機器に対して当該オプション機器の製品特定情報の要求信号が送信される（Ｓ３）。本実施形態では給湯装置１から風呂リモコン２に対して製品特定情報の要求信号が送信される。この送信要求に対してオプション機器から製品特定情報が送信されると（Ｓ４：ＹＥＳ）、給湯装置１の通電時間の積算値に基づいてオプション機器の接続時期Ｔａが算出されるとともに、当該オプション機器の使用時間Ｔｄｏが算出される（Ｓ５，Ｓ６）。本実施形態では、図８に示すように最初に給湯装置１に風呂リモコン２を接続して給湯システムを設置しているため、オプション機器である風呂リモコン２の接続時期Ｔａは「０」となる。
【００６５】
また、風呂リモコン２の使用時間Ｔｄｏは現在の通電時間の積算値Ｔｃから接続時期を示す通電時間の積算値Ｔａを減算することにより算出される。接続時においてはＴａ＝Ｔｃであるから、使用時間Ｔｄｏは「０」（Ｔｄｏ＝Ｔｃ−Ｔａ）となる。そして、通信により取得した風呂リモコン２の製品特定情報、接続時期および使用時間の情報はＥＥＰＲＯＭ１０４に記憶される（Ｓ７）。続いて、全てのオプション機器について製品特定情報等の記憶処理が終了したか否かが判別され（Ｓ８）、終了していなければ（Ｓ８：ＮＯ）、ステップＳ３に戻り、次のオプション機器について製品特定情報の取得、接続時期及び使用時間の算出、これらの情報のＥＥＰＲＯＭ１０４への記憶処理を行う（Ｓ３〜Ｓ７）。そして、全てのオプション機器について製品特定情報等の記憶処理が終了すれば（Ｓ８：ＹＥＳ）、ステップＳ９に移行する。本実施形態では、オプション機器は風呂リモコン２だけであるので、ステップＳ３に戻ることなくステップＳ９に移行する。
【００６６】
ステップＳ９に移行すると、オプション機器の接続状態を定期的に確認するためのタイマによる所定時間ｔの計時が開始され、所定時間ｔが経過すると（Ｓ１０：ＹＥＳ）、接続確認されたオプション機器に対して当該オプション機器の製品特定情報の要求信号が送信される（Ｓ１１）。この送信要求に対してオプション機器から製品特定情報が送信されると（Ｓ１２：ＹＥＳ）、給湯装置１の通電時間の積算値Ｔｃに基づいてオプション機器の使用時間Ｔｄｏが算出され（Ｓ１３）、その算出結果はＥＥＰＲＯＭ１０４に記憶されたオプション機器の使用時間Ｔｄが算出された使用時間Ｔｄｏにより書き換えられる（Ｓ１４）。すなわち、オプション機器の使用時間Ｔｄｏの更新が行われる。なお、使用時間は、現在の通電時間の積算値Ｔｃから接続時期を示す通電時間の積算値Ｔａ（このデータはＥＥＰＲＯＭ１０４に記憶されている）を減算することにより算出される。
【００６７】
一方、製品特定情報の送信要求に対して所定の時間内に応答がなければ（Ｓ１２：ＮＯ）、オプション機器の接続が解除されたと判断し、ステップＳ１３，Ｓ１４をスキップしてステップＳ１５に移行する。これにより、そのオプション機器が交換された場合、交換前の製品についての接続から接続解除までの製品特定情報、接続時期及び使用時間の情報がＥＥＰＲＯＭ１０４に記録されることになる。
【００６８】
続いて、全てのオプション機器について製品特定情報等の記憶処理が終了したか否かが判別され（Ｓ１５）、終了していなければ（Ｓ１５：ＮＯ）、ステップＳ１１に戻り、次のオプション機器について使用時間の算出とＥＥＰＲＯＭ１０４への記憶処理を行う（Ｓ１１〜Ｓ１４）。そして、全てのオプション機器について使用時間の更新処理が終了すれば（Ｓ１５：ＹＥＳ）、ステップＳ１６に移行する。本実施形態では、オプション機器は風呂リモコン２だけであるので、ステップＳ１１に戻ることなくステップＳ１６に移行する。
【００６９】
ステップＳ１６に移行すると、新たにオプション機器が接続されているか否かの確認が行われる（Ｓ１６）。新たにオプション機器が接続されていれば（Ｓ１６：ＹＥＳ）、当該オプション機器に対して当該オプション機器の製品特定情報の要求信号が送信される（Ｓ１７）。この送信要求に対してオプション機器から製品特定情報が送信されると（Ｓ１８：ＹＥＳ）、給湯装置１の通電時間の積算値Ｔｃに基づいてオプション機器の接続時期Ｔａが算出されるとともに、当該オプション機器の使用時間Ｔｄｏが算出される（Ｓ１９，Ｓ２０）。そして、通信により取得した追加オプション機器の製品特定情報、接続時期および使用時間の情報はＥＥＰＲＯＭ１０４に追加記憶される（Ｓ２１）。
【００７０】
続いて、追加された全てのオプション機器について製品特定情報等の受信処理が終了したか否かが判別され（Ｓ２２）、終了していなければ（Ｓ２２：ＮＯ）、ステップＳ１７に戻り、次の追加されたオプション機器について製品特定情報の取得、接続時期及び使用時間の算出、これらの情報のＥＥＰＲＯＭ１０４への追加記憶処理が行われる（Ｓ１７〜Ｓ２１）。そして、追加された全てのオプション機器について製品特定情報等の記憶処理が終了すれば（Ｓ２２：ＹＥＳ）、ステップＳ２３に移行し、電源がオフにされたか否かの確認が行われる。また、ステップＳ１６で新たにオプション機器が接続されていないと判別されると（Ｓ１６：ＮＯ）、ステップＳ２３に移行し、電源がオフにされたか否かの確認が行われる。
【００７１】
ステップＳ２３で電源がオフにされていなければ（Ｓ２３：ＮＯ）、ステップＳ９に戻り、既接続のオプション機器の接続状態が継続されているか否かの判別処理と、継続されている場合は当該オプション機器の使用時間の更新処理と、オプション機器の追加接続の確認処理とが所定の周期で繰り返される（Ｓ９〜Ｓ２３のループ）。
【００７２】
ステップＳ２３で電源がオフにされていれば（Ｓ２３：ＹＥＳ）、給湯装置１の通電時間の積算値Ｔｃが算出され、ＥＥＰＲＯＭ１０４に記憶される（Ｓ２４）。続いて、通信によりＥＥＰＲＯＭ１０４に記憶されたデータが所定のオプション機器に送信され、当該オプション機器のＥＥＰＲＯＭ２０６に記憶されたのち（Ｓ２５）、所定の電源オフの処理が行われ（Ｓ２６）、情報管理処理を終了する。なお、ステップＳ２５の処理は、給湯装置１が故障修理によりマイコン基板を交換するために電源オフが行われることもあるため、ＥＥＰＲＯＭ１０４の記憶されたデータを交換されたマイコン基板のＥＥＰＲＯＭに記憶できるように、一時的に退避させるものである。
【００７３】
図６，図７の処理手順の内容を図８に示す給湯装置１及び風呂リモコン２のマイコン基板（コントローラ）がそれぞれ交換されるタイミングを例に説明すると、Ａのタイミングで給湯装置１と風呂リモコン２とからなる給湯システムが設置され、給湯装置１の電源がオンになると、まず、当該給湯装置１の通電時間の計時が開始され、風呂リモコン２の接続が確認される。続いて、通信により風呂リモコン２から当該風呂リモコン２の製品特定情報が給湯装置１に転送され、当該給湯装置１内のＥＥＰＲＯＭ１０４に記憶される。また、風呂リモコン２の接続時期と使用時間の情報を算出し、製品特定情報とともにＥＥＰＲＯＭ１０４に記憶される。
【００７４】
その後、給湯装置１は定期的に風呂リモコン２の接続状態を確認し、確認される毎にそのときの通電時間ＴｃとＥＥＰＲＯＭ１０４に記憶されている接続時期を示す通電時間Ｔａとから通電時間Ｔｄｏを算出し、その通電時間ＴｄｏをＥＥＰＲＯＭ１０４に更新的に記憶する。また、給湯装置１は、オプション機器の追加の有無を判別する。図８の例ではオプション機器の追加はないので、Ｂのタイミングまで、風呂リモコン２の接続確認と使用時間Ｔｄｏの更新の処理が継続される。
【００７５】
そして、Ｂのタイミングで、故障により風呂リモコン２のマイコン基板を含む部品ないし全体を交換するために給湯装置１と風呂リモコン２との接続が解除されると、給湯装置１は、定期的な風呂リモコン２の接続確認により風呂リモコン２の非接続状態が分かるので、当該風呂リモコン２の使用時間の更新処理を停止することにより、ＥＥＰＲＯＭ１０４に交換前の風呂リモコン２の製品特定情報、接続時期、使用時間の情報が保存されることになる。また、給湯装置１は、交換後の風呂リモコン２’の接続確認を行い、風呂リモコン２’が接続されると、新しい風呂リモコン２’について製品特定情報を取得するとともに、その接続時期と使用時間とを算出し、ＥＥＰＲＯＭ１０４に追加記憶する。これにより風呂リモコン２の交換履歴がＥＥＰＲＯＭ１０４に記録されることとなる。そして、交換後の風呂リモコン２’についても交換前の風呂リモコン２と同様に定期的に接続確認と使用時間の更新の処理が行われる。
【００７６】
その後、Ｃのタイミングで、故障により給湯装置１のマイコン基板を含む部品ないし全体を交換するために、給湯装置１の電源がオフにされると、給湯装置１のＥＥＰＲＯＭ１０４に記憶された製品特定情報等のデータが風呂リモコン２’に転送され、ＥＥＰＲＯＭ２０６に記憶される。そして、風呂リモコン２’に修理後の給湯装置１’が接続され、給湯装置１’の電源がオンになると、図６，図７のフローが実行されるので、給湯装置１’について新たに通電時間の計時が開始され、風呂リモコン２’からＥＥＰＲＯＭ２０６に記憶されたデータが給湯装置１’のＥＥＰＲＯＭ１０４に転送される。
【００７７】
従って、給湯装置及び風呂リモコンの製品特定情報、接続時期、使用時間および故障履歴の情報は給湯システムの給湯装置に引き継いで記録されていくことになる。なお、故障履歴には、各マイコン基板の交換履歴のほか、エラーコード（異常を検出したときにそれぞれのＥＥＰＲＯＭに記憶される異常内容特定のためのデータ）を含んでも良い。
【００７８】
なお、給湯装置１本体が交換された場合は、給湯装置１の寿命に関するデータ（積算燃焼回数、積算燃焼時間、給湯装置本体の積算通電時間など）は引き継がれず、ゼロになるが、給湯システム内の各機器の製品特定情報や接続時期などに関するデータは引き継がれる。また、給湯装置１のマイコン基板のみが交換される場合は上記のように旧マイコン基板のＥＥＰＲＯＭ１０４に記憶された給湯装置１の寿命に関するデータは新マイコン基板のＥＥＰＲＯＭ１０４’に引き継がれる。
【００７９】
なお、給湯装置１のマイコンが電源リセットされた場合は、図９に示すフローチャートに従って接続されているオプション機器が電源リセット中に変更されているか否かの判別が行われ、変更されている場合は変更後のオプション機器について新たに製品特定情報等の記録が行われる。
【００８０】
すなわち、電源リセットが行われた後、給湯装置１の制御部１０１が起動されると、ＥＥＰＲＯＭ１０４に記憶されている製品特定情報に対応するオプション機器に対して当該オプション機器の製品特定情報の要求信号が送信される（Ｓ３０）。この送信要求に対してオプション機器から製品特定情報が送信されると（Ｓ３１：ＹＥＳ）、受信した製品特定情報とＥＥＰＲＯＭ１０４に記憶された製品特定情報とを比較してオプション機器（特にマイコン基板）が交換されているか否かが判別される（Ｓ３２）。
【００８１】
オプション機器（特にマイコン基板）が交換されていないときは（Ｓ３３：ＮＯ）、直ちにリターンし、オプション機器（特にマイコン基板）が交換されているときは（Ｓ３３：ＹＥＳ）、受信した新しい製品特定情報をＥＥＰＲＯＭ１０４に識別コードを付して追加記憶する。このとき、ＥＥＰＲＯＭ１０４に記憶されている現在の通電時間の積算値Ｔｃが接続時期として記録され、使用時間は電源リセット時を基準として再度算出され、その算出結果が記録されて（Ｓ３４）、リターンする。
【００８２】
なお、上記実施形態では、給湯装置１のマイコン基板を交換する修理を行う場合は、交換されるマイコン基板に搭載されたＥＥＰＲＯＭ１０４の記憶情報を一旦、所定のオプション機器（本実施形態では風呂リモコン２）のＥＥＰＲＯＭ２０６に退避させ、新しいマイコン基板が給湯装置１に搭載されると、そのオプション機器からＥＥＰＲＯＭ２０６に退避した情報を転送させて新マイコン基板に搭載されたＥＥＰＲＯＭ１０４’に記憶させるようにしていたが、交換用の新しいマイコン基板を給湯装置１に通信線（二芯線）を介して接続し、新しいマイコン基板に搭載されたマイコンと交換されるマイコン基板に搭載されたマイコンとの間で通信を行って交換されるマイコン基板に搭載されたＥＥＰＲＯＭ１０４に記憶された情報を直接、新しいマイコン基板に搭載されたＥＥＰＲＯＭ１０４’に記憶させるようにしても良い。
【００８３】
すなわち、図１０のフローチャートに示すように、給湯装置１に通信線３を介して交換用のマイコン基板が接続されると、そのマイコン基板（以下、新マイコン基板という。）に搭載されたマイコンの制御部１０１’は、給湯装置１に装着されている交換すべきマイコン基板（以下、旧マイコン基板という。）のマイコンに搭載されたマイコンの制御部１０１との間で通信を行って両マイコン基板の接続確認を行う（Ｓ４０）。
【００８４】
両マイコン基板の接続が確認されると（Ｓ４０：ＹＥＳ）、新マイコン基板の制御部１０１’は旧マイコン基板の制御部１０１にＥＥＰＲＯＭ１０４に記憶されている情報の転送を要求し（Ｓ４１）、旧マイコン基板の制御部１０１からＥＥＰＲＯＭ１０４に記憶されている情報が送信される毎に順次、新マイコン基板のＥＥＰＲＯＭ１０４’に記憶する（Ｓ４２〜Ｓ４４のループ）。
【００８５】
そして、旧マイコン基板の制御部１０１からＥＥＰＲＯＭ１０４に記憶されている情報が送信される毎に順次、新マイコン基板のＥＥＰＲＯＭ１０４’に記憶し、全ての情報の転送が終了すると（Ｓ４４：ＹＥＳ）、情報の転送処理を終了する。
【００８６】
図１１は、新マイコン基板のＥＥＰＲＯＭ１０４’に記憶されるデータの一例を示す図である。
【００８７】
同図に示すように、ＥＥＰＲＯＭ１０４’の先頭の記憶領域Ａ１には、新マイコン基板の製品特定情報（ＩＤコード、製造年月、リレーケースセット名称、マイン捺印名称）や使用時間Ｔｃその他の履歴情報が記憶されている。旧マイコン基板から転送される当該マイコン基板の製品特定情報や積算された通電時間Ｔｃその他の履歴情報は記憶領域Ａ１の下部の記憶領域Ａ１’に記憶され、風呂リモコン２等のオプション機器の製品特定情報や使用時間Ｔｄｏその他の履歴情報は、記憶領域Ａ１’の下部の記憶領域Ａ２以降に記憶される。
【００８８】
マイコン基板の交換後は記憶領域Ａ１’内の領域Ｂ１’に記憶された通電時間Ｔｃの積算値は更新されず、記憶領域Ａ１内の領域Ｂ１に記憶された通電時間Ｔｃの積算値が更新される。領域Ｂ１’に記憶された通電時間Ｔｃの積算値が更新されないため、この通電時間Ｔｃにより旧マイコン基板の交換時期を知ることができる。マイコン基板が更に交換された場合は、新しいマイコン基板のＥＥＰＲＯＭ１０４”の記憶領域は、給湯装置１に関する記憶領域Ａ１，Ａ１’に記憶領域Ａ１”が追加され、最新のマイコン基板に関する情報が記憶領域Ａ１に記憶されているので、２番目のマイコン基板に関する情報が記憶領域Ａ１’に記憶され、最初のマイコン基板に関する情報が記憶領域Ａ１”に記憶されることになり、記憶領域Ａ２以降にオプション機器のマイコン基板に関する情報が記憶される。
【００８９】
給湯装置１の交換された旧マイコン基板の使用時間は、記憶領域Ａ１’，Ａ１”の領域Ｂ１’，Ｂ１”に記憶された通電時間Ｔｃを用いて算出することができる。すなわち、前々回交換のマイコン基板が最初に搭載されたマイコン基板であるときは、記憶領域Ａ１”の領域Ｂ１”に記憶された通電時間Ｔｃの積算値が使用時間となり、前回交換のマイコン基板の使用時間は記憶領域Ａ１’の領域Ｂ１’に記憶された通電時間Ｔｃの積算値から記憶領域Ａ１”の領域Ｂ１”に記憶された通電時間Ｔｃの積算値（前々回の交換のマイコン基板の使用時間）を減算することにより算出される。なお、このように算出される使用時間を領域Ｂ１’，Ｂ１”に記憶させるようにしても良い。
【００９０】
この方法では、オプション機器のＥＥＰＲＯＭ２０６に情報の退避領域を設ける必要がなくなるので、ＥＥＰＲＯＭ２０６の小型化、低コスト化に寄与する利点がある。
【００９１】
上記のように、本実施形態に係る給湯装置１および風呂リモコン２とからなる給湯システムは、給湯装置１および風呂リモコン２の製品を特定する情報とマイコン基板のバージョンを特定する情報とからなる製品特定情報をそれぞれ記憶しており、給湯システムが構成されると、風呂リモコン２の製品特定情報を給湯装置１のＥＥＰＲＯＭ１０４に一括して記憶するようにしているので、給湯装置１もしくは風呂リモコン２が故障してマイコン基板を交換するような修理を行った場合にも好適にその修理履歴を残すことができる。
【００９２】
また、原因不明の不具合によりマイコン基板を交換する修理を行う場合もバージョン情報により同一バージョンのマイコン基板を何度も交換するという不都合を回避することができる。また、不良のバージョンが分かっている場合は故障した装置ないし機器のマイコン基板のバージョンを確認することで迅速に対策を講じることができる。
【００９３】
更に給湯装置１の位置で給湯システムを構成する装置及び機器の製品特定情報を取得できるので、メンテナンス作業や故障修理の作業労力が軽減され、作業効率が向上する。
【００９４】
また、給湯装置１のマイコン基板等が交換される場合、給湯装置１のＥＥＰＲＯＭ１０４に記憶されたデータを風呂リモコン２のＥＥＰＲＯＭ２０６に一時退避させ、交換後の給湯装置１のマイコン基板のＥＥＰＲＯＭ１０４に退避したデータを復旧させるようにしているので、給湯システムの最初の構成からその後の変更された構成の全てについて変更履歴の情報が保存され、製品特定情報及び履歴情報を有効に活用することができる。
【００９５】
なお、上記実施形態では、給湯装置１の電源がオフにされるとき、ＥＥＰＲＯＭ１０４のデータを風呂リモコン２のＥＥＰＲＯＭ２０６に一時退避させるようにしているが、例えば給湯装置１で故障が検出されたときなど、マイコン基板が交換される虞のある所定のタイミングでＥＥＰＲＯＭ１０４のデータを風呂リモコン２のＥＥＰＲＯＭ２０６に一時退避させるようにしてもよい。
【００９６】
また、本発明に係る給湯システムの給湯装置は一般給湯単機能装置のほか、風呂浴槽への湯張り機能、風呂追焚機能、および温水暖房機能それぞれの単機能型温水装置であってもよい。
【００９７】
【発明の効果】
以上説明したように、請求項１〜６に記載の発明によれば、給湯装置及びオプション機器にそれぞれ製品を特定するための製品特定情報を記憶しておき、給湯装置にオプション機器が接続されると、給湯装置が通信によりオプショュン機器から当該オプション機器の製品特定情報を取得するとともに、当該オプション機器の給湯装置への接続時期を特定し、製品特定情報と接続時期の情報とを記憶するようにしたので、メンテンナンスや故障修理の際にオプション機器の製品特定情報や使用期間などの情報をオプション機器の設置位置まで行くことなく給湯装置から簡単に取得することができる。また、原因不明の故障でオプション機器の制御装置を交換した場合にもバージョン情報によって制御装置を特定できるため、故障原因が制御装置にあるか否かを容易に推定することができる。また、制御装置に不具合がある場合は、メンテナンス時にバージョン情報を確認することにより制御装置の交換の要否を迅速に判断することができる。
【００９８】
また、請求項７，８に記載の発明によれば、給湯装置が、例えば給湯装置の電源がオフにされるとき、オプション機器と通信を行って第１の記憶手段に記憶された情報を当該オプション機器の第２の記憶手段に転送してバックアップを取るようにしたので、給湯装置が交換された場合にも新しい給湯装置がオプション機器からバックアップ情報を取得することにより簡単にシステムの情報を復旧させることができる。
【図面の簡単な説明】
【図１】本発明が適用される給湯システムの基本構成例を示す図である。
【図２】本発明に係る給湯システムの一実施形態である給湯装置と風呂リモコンとからなる給湯システムのブロック構成図である。
【図３】識別コードの一例を示す図である。
【図４】ＥＥＰＲＯＭに記憶されるデータの一例を示す図である。
【図５】風呂リモコンの操作パネルの一例を示す図である。
【図６】給湯装置の給湯システムの製品特定情報等の情報管理の処理手順を示すフローチャートである。
【図７】給湯装置の給湯システムの製品特定情報等の情報管理の処理手順を示すフローチャートである。
【図８】給湯装置及び風呂リモコンのマイコン基板（コントローラ）がそれぞれ交換されるタイミングの一例を示す図である。
【図９】給湯装置のマイコンが電源リセットされた場合の給湯システムの製品特定情報等の情報管理の処理手順を示すフローチャートである。
【図１０】マイコン基板間でＥＥＰＲＯＭに記憶された情報の転送を行う処理手順を示すフローチャートである。
【図１１】給湯装置のマイコン基板が交換された場合の交換後のマイコン基板のＥＥＰＲＯＭに記憶される給湯システムの製品特定情報等のデータの一例を示す図である。
【符号の説明】
１  給湯装置
１０１  制御部（情報取得手段，接続時期特定手段，記憶制御手段，転送手段）
１０１ａ  通電時間積算部（積算手段）
１０２  通信部（情報取得手段）
１０３  記憶部
１０４  ＥＥＰＲＯＭ（第１の記憶手段）
１０５  電源部
２  風呂リモコン
２０１  制御部
２０２  通信部
２０３  操作部
２０４  表示部
２０５  記憶部
２０６  ＥＥＰＲＯＭ（第２の記憶手段）
３  通信線（二芯線）
４  操作パネル
４０１  運転ボタン
４０２  液晶ディスプレイ
４０３ａ，４０３ｂ  温度などの設定ボタン
４０４  風呂自動ボタン
４０５  追いだきボタン
【図１】
2004183938.tif 000003
【図２】
2004183938.tif 000004
【図３】
2004183938.tif 000005
【図４】
2004183938.tif 000006
【図５】
2004183938.tif 000007
【図６】
2004183938.tif 000008
【図７】
2004183938.tif 000009
【図８】
2004183938.tif 000010
【図９】
2004183938.tif 000011
【図１０】
2004183938.tif 000012
【図１１】
2004183938.tif 000013